(57)【要約】【課題】ＰＣＡ内において正確に未使用のセクタを検索すると共にこれを用いて正確に記録パワーの規正を行うことが可能なパラメータ設定装置等を提供する。【解決手段】ＤＶＤ−Ｒ上にＰＣＡとして設けられているセクタのいずれかを用いて、当該ＤＶＤ−Ｒに対する光学的な情報記録の際に用いられる記録パワーを設定する場合に、いずれかのセクタから予め設定された特定検出信号が検出されるか否かを確認し（ステップＳ２）、その確認結果に基づいて、いずれかのセクタうち特定検出信号が検出されない未使用セクタを検索し（ステップＳ３）、検索された未使用セクタ内に上記特定検出信号を得るための目印信号を記録し（ステップＳ５）、少なくとも目印信号が記録された領域を除く未使用セクタ内に、記録パワーを設定するための設定信号を記録し（ステップＳ６）、記録された設定信号を光学的に検出して記録パワーを設定する（ステップＳ１３）。【選択図】図３
2007305303.tif 000002
【特許請求の範囲】
【請求項１】
記録媒体上に予め複数設けられている設定領域のいずれかを用いて、当該記録媒体に対する光学的な情報記録の際に用いられる記録パラメータを設定して前記情報を前記記録媒体に記録する情報記録装置において、
前記いずれかから、予め設定された検出信号である特定検出信号が光学的に検出されるか否かを確認する確認手段と、
前記確認手段における確認結果に基づいて、前記いずれかのうち前記特定検出信号が検出されない一の当該設定領域である未使用設定領域を検索する検索手段と、
前記検索された未使用設定領域内に、前記特定検出信号を光学的に得るための目印信号を光学的に記録する目印信号記録手段と、
少なくとも、前記目印信号が記録された領域を除く前記未使用設定領域内に、前記記録パラメータを設定するための設定信号を記録する設定信号記録手段と、
前記記録された設定信号を光学的に検出して前記記録パラメータを設定する設定手段と、
を備え、
前記目印信号記録手段は、前記設定信号を記録中における予め設定された所定期間毎に前記目印信号を記録することを繰り返し、
更に当該目印信号記録手段は、予め設定された期間だけ前記目印信号を記録することを特徴とする情報記録装置。
【請求項２】
請求項１に記載の情報記録装置において、
前記目印信号記録手段は、当該目印信号記録手段としての最大の記録パワーを有する光ビームを用いて前記目印信号を記録することを特徴とする情報記録装置。
【請求項３】
請求項１又は２に記載の情報記録装置において、
前記目印信号記録手段は、前記未使用設定領域内において前記記録された設定信号よりも先に検出される位置に前記目印信号を記録することを特徴とする情報記録装置。
【請求項４】
請求項１又は２に記載の情報記録装置において、
前記確認手段は、
前記特定検出信号が光学的に検出されると予測される前記設定領域の前記記録媒体上の位置である予測位置を検索する位置検索手段と、
前記特定検出信号を検出する検出手段と、
前記設定信号及び前記特定検出信号の検出を行う実行手段を、前記検索された予測位置から少なくとも前記所定期間に相当する距離だけ離れた前記記録媒体上の位置である探索開始位置まで移動させる第１移動手段と、
前記探索開始位置から前記予測位置まで前記実行手段を移動させる間に前記特定検出信号が検出されたとき、当該特定検出信号が検出された前記記録媒体上の位置から更に少なくとも前記所定期間に相当する距離だけ離れた前記記録媒体上の位置に当該実行手段を再移動させ、当該再移動後の前記実行手段の位置を前記探索開始位置として前記予測位置まで前記実行手段を移動させて前記特定検出信号が検出されるか否かを確認することを繰り返す第２移動手段と、
により構成されていると共に、
前記検索手段は、前記探索開始位置から前記予測位置まで前記実行手段を移動させる間に前記特定検出信号が検出されないとき、最後に検出された当該特定検出信号が記録されていた前記設定領域に相隣接する前記設定領域を前記未使用設定領域とすることを特徴とする情報記録装置。
【請求項５】
請求項１から４のいずれか一項に記載の情報記録装置において、
前記記録パラメータは前記情報記録の際に用いられる光ビームの強度であることを特徴とする情報記録装置。
【請求項６】
請求項１から５のいずれか一項に記載の情報記録装置において、
前記目印信号記録手段は、前記情報を構成するセクタについて、予め設定された当該セクタの数毎に前記目印信号を記録することを特徴とする情報記録装置。
【請求項７】
請求項６に記載の情報記録装置において、
前記数は３２であることを特徴とする情報記録装置。
【請求項８】
記録媒体上に予め複数設けられている設定領域のいずれかを用いて、当該記録媒体に対する光学的な情報記録の際に用いられる記録パラメータを設定して前記情報を前記記録媒体に記録する情報記録方法において、
前記いずれかから、予め設定された検出信号である特定検出信号が光学的に検出されるか否かを確認する確認工程と、
前記確認工程における確認結果に基づいて、前記いずれかのうち前記特定検出信号が検出されない一の当該設定領域である未使用設定領域を検索する検索工程と、
前記検索された未使用設定領域内に、前記特定検出信号を光学的に得るための目印信号を光学的に記録する目印信号記録工程と、
少なくとも、前記目印信号が記録された領域を除く前記未使用設定領域内に、前記記録パラメータを設定するための設定信号を記録する設定信号記録工程と、
前記記録された設定信号を光学的に検出して前記記録パラメータを設定する設定工程と、
を備え、
前記目印信号記録工程においては、前記設定信号を記録中における予め設定された所定期間毎に前記目印信号を記録することを繰り返し、
更に当該目印信号記録工程においては、予め設定された期間だけ前記目印信号を記録することを特徴とする情報記録方法。
【請求項９】
請求項８に記載の情報記録方法において、
前記目印信号記録工程においては、当該目印信号記録工程において使用可能な最大の記録パワーを有する光ビームを用いて前記目印信号を記録することを特徴とする情報記録方法。
【請求項１０】
請求項８又は９に記載の情報記録方法において、
前記目印信号記録工程においては、前記未使用設定領域内において前記記録された設定信号よりも先に検出される位置に前記目印信号を記録することを特徴とする情報記録方法。
【請求項１１】
請求項８又は９に記載の情報記録方法において、
前記確認工程は、
前記特定検出信号が光学的に検出されると予測される前記設定領域の前記記録媒体上の位置である予測位置を検索する位置検索工程と、
前記特定検出信号を検出する検出工程と、
前記設定信号及び前記特定検出信号の検出を行う実行手段を、前記検索された予測位置から少なくとも前記所定期間に相当する距離だけ離れた前記記録媒体上の位置である探索開始位置まで移動させる第１移動工程と、
前記探索開始位置から前記予測位置まで前記実行手段を移動させる間に前記特定検出信号が検出されたとき、当該特定検出信号が検出された前記記録媒体上の位置から更に少なくとも前記所定期間に相当する距離だけ離れた前記記録媒体上の位置に当該実行手段を再移動させ、当該再移動後の前記実行手段の位置を前記探索開始位置として前記予測位置まで前記実行手段を移動させて前記特定検出信号が検出されるか否かを確認することを繰り返す第２移動工程と、
により構成されていると共に、
前記検索工程においては、前記探索開始位置から前記予測位置まで前記実行手段を移動させる間に前記特定検出信号が検出されないとき、最後に検出された当該特定検出信号が記録されていた前記設定領域に相隣接する前記設定領域を前記未使用設定領域とすることを特徴とする情報記録方法。
【請求項１２】
請求項８から１１のいずれか一項に記載の情報記録方法において、
前記記録パラメータは前記情報記録の際に用いられる光ビームの強度であることを特徴とする情報記録方法。
【請求項１３】
請求項８から１２のいずれか一項に記載の情報記録方法において、
前記目印信号記録工程において、前記情報を構成するセクタについて、予め設定された当該セクタの数毎に前記目印信号を記録することを特徴とする情報記録方法。
【請求項１４】
請求項１３に記載の情報記録方法において、
前記数は３２であることを特徴とする情報記録方法。
【発明の詳細な説明】
【技術分野】
【０００１】
本願は、情報記録装置及び情報記録方法の技術分野に属し、より詳細には、記録媒体への情報記録に用いられる記録パラメータを当該情報記録前に設定して情報を記録する情報記録装置及び情報記録方法の技術分野に属する。
【背景技術】
【０００２】
近年、従来のＣＤ（Compact Disc）よりも大幅に記録容量を高めた光ディスクであるＤＶＤについての規格が策定され、このうち、再生専用のＤＶＤについては既に一般化しつつある。
【０００３】
更に、当該再生専用のＤＶＤだけでなく、情報記録が可能なＤＶＤについても規格化が進捗している。
【０００４】
ここで、当該記録可能なＤＶＤとしては、一回のみ情報の記録が可能な（すなわち追記のみが可能な）ＤＶＤであるＤＶＤ−Ｒ（DVD-Recordable）と、情報の記録が複数回可能なＤＶＤ−ＲＷ（DVD-Re-Recordable）と、があるが、前者後者供に順次規格化されつつある。
【０００５】
ところで、一般に、上記記録可能なＤＶＤに対して情報記録を実行する場合には、記録すべき情報に対応して強度変調された記録用の光ビームを当該ＤＶＤに照射して当該情報記録を行うのであるが、この光ビームの強度（以下、単に記録パワーと称する。）については、情報記録を実行する度にその規正処理を行う必要がある。これは、当該記録可能なＤＶＤ自体の汚れや温度或いは情報記録面における反射率の経時変化等に起因してそのときの情報記録に最適な当該記録パワーが変化する場合があることによる。
【０００６】
そこで、当該規正処理を実行すべく、上記ＤＶＤ−Ｒの規格においては、ＰＣＡ（Power Calibration Area）及びＲＭＡ（Recording Management Area）と称される領域を当該ＤＶＤ−Ｒにおけるいわゆるリードインエリアの更に内側に設けることが規定されている。
【０００７】
ここで、当該ＰＣＡは複数のセクタに分割されており、一又は複数の当該セクタを用いて上記規正処理が実行される。より具体的には、当該一又は複数のセクタに相当するＰＣＡにおいて、予め設定されているその最小値から順次段階的にその最大値まで記録パワーを増大させつつ、例えば、３Ｔ（Ｔは情報記録装置Ｒによる情報記録の最に用いられる単位時間）乃至１１Ｔのランダムなパルス幅を有する設定信号を順次記録し、次にその記録された設定信号を最小の記録パワーにより記録されたものから順次検出・再生し、その再生時に上記各パルス幅に対応する再生信号毎のピークレベル及びボトムレベルが一致する設定信号の記録時に用いられた記録パワーを、情報記録時における光ビームの最適記録パワーとして設定し、以後記録すべき記録情報の実際の記録をその最適記録パワーの光ビームを用いて実行するのである。
【０００８】
そして、このようにして算出された最適記録パワー並びにその最適記録パワーの設定に用いられたＰＣＡ内のセクタの番号（すなわち、使用済みセクタの番号）が規正履歴として上記ＲＭＡ内に識別可能に記録され、以後の実際の記録情報の記録が開始されるのである。
【０００９】
なお、上記したＤＶＤ−Ｒにおいては、その全面に渡って情報記録が一度しか実行できないため、記録パワーの最適化に一度用いられたＰＣＡ内のセクタは、以後の当該最適化には用いることはできないこととなる。このとき、誤って使用済みのセクタを用いて新たな記録パワーの最適化を実行してしまうと、正確に当該記録パワーの最適化が実行できず、従って以後の情報記録も正確に実行できないこととなる。
【００１０】
ここで、上記ＤＶＤ−Ｒの規格においては、次回の記録パワーの規正処理では上記ＲＭＡ内の記述を参照することで今までの規正処理に使用されていないＰＣＡ内のセクタを検索し、当該検索された未使用のセクタを用いて当該記録パワー規正処理が実行されることが規格化されている。
【００１１】
しかしながら、上記ＲＭＡにおける規正履歴を記述することが可能な領域が４００個であることが規格化されていること、及び、規正履歴の記述をいずれのタイミング（例えば記録完了後のＤＶＤ―Ｒの排出時等）で記述するかについては規格化されていないこと等を理由として、当該規正履歴が確実に記述されない場合又は規正履歴記述後の当該領域を正確に検索できない場合があり、それらの場合にはＰＣＡ内のいずれのセクタが使用済みであるかの識別が不可能となり、結果として使用済みのセクタを用いて上記規正処理を行ってしまう場合があるという問題点があった。
【００１２】
そこで、この問題点に対処すべく、従来では、例えば下記特許文献１に開示されているように、光ビームを用いてＰＣＡ内を走査することで実際に記録されている設定信号に対応する検出・再生信号を検出し、そのレベルから使用済みのセクタを検索する手法が採られていた。
【特許文献１】特開平１１−１７５９７７号公報
【発明の開示】
【発明が解決しようとする課題】
【００１３】
しかしながら、上述した従来の使用済みセクタの検索手法によると、（零レベルに近い）極弱い記録パワーで設定信号の記録が行われたセクタについては、当該検索手法により検出・再生信号を検出するに足る記録パワーで設定信号が記録されていないため、使用済みのセクタであっても未使用であると認識してしまい、結果として従来と同様に使用済みのセクタを用いて記録パワーの規正処理が行われてしまうことで正確に当該規正処理が実行できない場合があるという問題点があった。
【００１４】
そこで、本願は、上記の問題点に鑑みて為されたもので、その課題の一例は、ＰＣＡ内において正確に未使用のセクタを検索すると共にこれを用いて正確に記録パワーの規正処理を行うって情報記録を行うことが可能な情報記録装置及び情報記録方法を提供することにある。
【課題を解決するための手段】
【００１５】
上記の課題を解決するために、請求項１に記載の発明は、記録媒体上に予め複数設けられている設定領域のいずれかを用いて、当該記録媒体に対する光学的な情報記録の際に用いられる記録パラメータを設定して前記情報を前記記録媒体に記録する情報記録装置において、前記いずれかから、予め設定された検出信号である特定検出信号が光学的に検出されるか否かを確認する確認手段と、前記確認手段における確認結果に基づいて、前記いずれかのうち前記特定検出信号が検出されない一の当該設定領域である未使用設定領域を検索する検索手段と、前記検索された未使用設定領域内に、前記特定検出信号を光学的に得るための目印信号を光学的に記録する目印信号記録手段と、少なくとも、前記目印信号が記録された領域を除く前記未使用設定領域内に、前記記録パラメータを設定するための設定信号を記録する設定信号記録手段と、前記記録された設定信号を光学的に検出して前記記録パラメータを設定する設定手段と、を備え、前記目印信号記録手段は、前記設定信号を記録中における予め設定された所定期間毎に前記目印信号を記録することを繰り返し、更に当該目印信号記録手段は、予め設定された期間だけ前記目印信号を記録するように構成される。
【００１６】
上記の課題を解決するために、請求項８に記載の発明は、記録媒体上に予め複数設けられている設定領域のいずれかを用いて、当該記録媒体に対する光学的な情報記録の際に用いられる記録パラメータを設定して前記情報を前記記録媒体に記録する情報記録方法において、前記いずれかから、予め設定された検出信号である特定検出信号が光学的に検出されるか否かを確認する確認工程と、前記確認工程における確認結果に基づいて、前記いずれかのうち前記特定検出信号が検出されない一の当該設定領域である未使用設定領域を検索する検索工程と、前記検索された未使用設定領域内に、前記特定検出信号を光学的に得るための目印信号を光学的に記録する目印信号記録工程と、少なくとも、前記目印信号が記録された領域を除く前記未使用設定領域内に、前記記録パラメータを設定するための設定信号を記録する設定信号記録工程と、前記記録された設定信号を光学的に検出して前記記録パラメータを設定する設定工程と、を備え、前記目印信号記録工程においては、前記設定信号を記録中における予め設定された所定期間毎に前記目印信号を記録することを繰り返し、更に当該目印信号記録工程においては、予め設定された期間だけ前記目印信号を記録するように構成される。
【発明を実施するための最良の形態】
【００１７】
次に、本願に好適な実施の形態について、図面に基づいて説明する。
【００１８】
なお、以下に説明する実施の形態は、上述した記録媒体としてのＤＶＤ−Ｒに対して情報を記録する情報記録装置において、実際の情報記録処理の前に実施される記録パワーの設定処理に対して本願を適用した場合の実施の形態である。
【００１９】
始めに、実施形態に係る情報記録装置の概要構成及び動作について、図１及び図２を用いて説明する。
【００２０】
なお、図１は実施形態に係る情報記録装置の概要構成を示すブロック図であり、図２はＤＶＤ−Ｒ１の細部構造を示す模式図である。
【００２１】
図１に示すように、実施形態に係る情報記録装置Ｒは、検索手段、設定信号記録手段、検出手段、実行手段及び目印信号記録手段としてのピックアップ２と、ＲＦ（Radio Frequency）検出部３と、ＣＰＵ等よりなる確認手段、位置検索手段、第１移動手段、第２移動手段及び設定手段としての制御部４と、タイミング生成器５と、記録パワー設定部６と、記録パターン発生部７と、記録波形生成部８と、駆動部９と、レーザドライバ１０と、プリフォーマット検出部１１と、コンデンサ２１、ピーク検出部２２及びボトム検出部２３を含むレベル検出部２４と、加算器２５と、により構成されている。
【００２２】
次に、各構成部材の動作等を説明する。
【００２３】
最初に情報記録処理一般における動作について説明する。
【００２４】
先ず、ＤＶＤ−Ｒ１には、当該ＤＶＤ−Ｒ１上の情報の記録位置を示すアドレス情報及び同期信号等が、いわゆるプリピットを形成することにより予め（その製造段階において）記録されている。
【００２５】
そして、ＤＶＤ−Ｒ１に情報を記録する際には、先ず、ピックアップ２は、実際の情報記録の直前に情報記録用の光ビームＢを当該プリピットに照射し、外部から入力されてくる記録すべき記録情報の記録位置を示すアドレス情報並びに当該記録処理における基準クロックとして用いられる記録クロックを生成するための同期信号を、例えばいわゆるプッシュプル法等により検出し、これらを含むプッシュプル信号Ｓppを生成してプリフォーマット検出部１１へ出力する。
【００２６】
これにより、プリフォーマット検出部１１は、当該プッシュプル信号Ｓppから上記同期信号Ｓsycとアドレス情報Ｓadrとを分離し、当該同期信号Ｓsycをタイミング生成部５へ出力すると共に、当該アドレス情報Ｓadrを制御部４に出力する。
【００２７】
そして、タイミング生成部５は、当該同期信号Ｓsycに基づいて上記記録クロック信号Ｓtmを生成し、記録パワー設定部６及び記録パターン発生部７へ出力する。
【００２８】
一方、外部から入力される上記記録情報Ｓrは、制御部４へ入力される。
【００２９】
そして、制御部４は、当該入力された記録情報Ｓrにエラー訂正符号の付加や変調処理を行うと共に、上記アドレス情報Ｓadrに基づいて当該入力された記録情報Ｓrを記録すべきＤＶＤ−Ｒ１上の記録位置を認識し、その記録位置に対応するタイミングで当該処理した記録情報Ｓrを記録信号Ｓrrとして記録波形生成部８へ加算器２５を介して出力する。
【００３０】
一方、記録パターン発生部７は、後述する規正処理時において、制御部４からの制御信号Ｓctに基づいて、上記記録クロック信号Ｓtmを基準クロックとして３Ｔ乃至１１Ｔのランダムなパルス幅を有する記録パターン信号Ｓptを生成し、記録波形生成部８へ加算器２５を介して出力する。
【００３１】
そして、記録波形生成部８は、記録信号Ｓrr又は記録パターン信号Ｓptに対して、ＤＶＤ−Ｒ１上の記録トラックに当該記録パターン信号Ｓptの波形に対応して形成される記録ピットの形状を整え且つ最適化するための波形整形処理（いわゆるストラテジ処理）を施し、整形パターン信号Ｓsrを生成して駆動部９へ出力する。
【００３２】
一方、記録パワー設定部６は、制御部４からの制御信号Ｓcpに基づいて、情報記録前に実行される後述する記録パワー設定処理により設定された記録パワーを示すパワー信号Ｓpcを生成し、駆動部９へ出力する。
【００３３】
そして、駆動部９は、当該パワー信号Ｓpcにより示される記録パワーで記録用の光ビームＢを照射するための駆動信号Ｓddを生成し、ドライバ１０へ出力する。
【００３４】
これにより、ドライバ１０は、ピックアップ２内の図示しない半導体レーザを駆動することで、上記パワー信号Ｓpcにより示される記録パワーを基準として整形パターン信号Ｓsrにより示される波形変化に対応して強度変調された上記記録用光ビームＢを射出させるための駆動信号Ｓdを生成してピックアップ２内の当該半導体レーザに出力する。
【００３５】
そして、当該駆動信号Ｓdにより当該半導体レーザが駆動されることで元の記録情報Ｓrに対応する記録用光ビームＢがＤＶＤ−Ｒ１に照射され、これにより当該記録情報Ｓrに対応する記録ピットがＤＶＤ−Ｒ１上の記録トラックに形成されることで、一連の当該記録情報Ｓrの記録処理が完了する。
【００３６】
次に、上述した記録処理に先立って実行される実施形態に係る記録パワーの規正処理について説明する。
【００３７】
上述したように、実施形態に係る規正処理は、ＤＶＤ−Ｒ１におけるリードインエリアの更に内側に形成されているＰＣＡ及びＲＭＡを用いて実行される。
【００３８】
ここで、当該ＰＣＡ及びＲＭＡを含むＤＶＤ−Ｒ１の細部構造について、図２を用いて説明する。
【００３９】
図２（ａ）に示すように、実施形態のＤＶＤ―Ｒ１は、その内周側から、情報記録装置Ｒ内の図示しないスピンドルモータの回転軸にＤＶＤ−Ｒ１を載置・固定するためのクランプ孔ＣＨと、内周側において情報が記録されない非記録領域１６と、上記ＰＣＡ１８と、上記ＲＭＡ１２と、実際の記録処理が実行される情報領域ＤＡと、外周側において情報が記録されない終端領域１７と、により構成されている。
【００４０】
更に、上記情報領域ＤＡは、後述するデータエリア１４に記録されている記録情報を再生する際に読み出すべき開始情報等が記録されるリードインエリア１３と、当該記録情報が記録される上記データエリア１４と、データエリア１４に記録されている記録情報の再生を終了する際に読み出すべき終了情報等が記録されるリードアウトエリア１５と、により構成されている。このとき、リードインエリア１３はデータエリア１４に情報を記録するに当たってそれより先に上記開始情報等が記録される領域であり、一方、リードアウトエリア１５はＤＶＤ−Ｒ１全体に対する記録が収容した後に（すなわち、ＤＶＤ−Ｒ１全体に対する記録情報の記録を完了する際に）始めて上記終了情報等が記録される領域である。
【００４１】
次に、ＰＣＡ１８は、Ｎ個（Ｎは例えば７０００）の上記セクタ２０に分割されており、これらセクタ２０のうちの一又は複数を用いることで記録用光ビームＢの記録パワーの規正処理が実行される。
【００４２】
また、各セクタ２０は、ＤＶＤ−Ｒ１の外周側にあるセクタ２０-1から順次使用されることが規格化されている。
【００４３】
すなわち、例えば一のセクタ２０のみを用いて一回の規正処理を実行する場合を例に取ると、セクタ２０-1に対してその内周側から外周側に記録パワーを順次増大させつつ（図２点線参照）設定信号を記録してゆくことで一回の規正処理が実行され、その次の回の規正では、セクタ２０-2に対してその内周側から外周側に記録パワーを順次増大させつつ（図２点線参照）設定信号を記録してゆくことで当該次の規正が実行されることとなる。
【００４４】
一方、ＲＭＡ１２は、予め設定されているタイミングで上記規正処理により設定された最適記録パワーの値及びそれまでの規正処理に用いられたＰＣＡ１８内のセクタ２０の番号が順次書き込まれる設定記録領域を４００個備えて構成されている。
【００４５】
次に、図１に戻って、これらＰＣＡ１８及びＲＭＡ１２を用いた上記規正処理においては、例えば上記した一のセクタ２０のみを用いて一回の規正処理を実行する場合を再び例に取ると、先ず、制御部４は、上述した３Ｔ乃至１１Ｔのランダムなパルス幅を有する記録パターン信号Ｓptが生成されるように記録パターン発生部７に制御信号Ｓctを出力する。
【００４６】
他方、制御部４は、セクタ２０-1に対してその内周側から外周側に記録パワーを順次増大させつつ（図２点線参照）設定信号を記録するように記録パワー設定部６を制御すべく上記制御信号Ｓcpを出力する。
【００４７】
これにより、当該記録パワー設定部６は、当該記録パワーが順次増大するように上記パワー信号Ｓpcを出力する。
【００４８】
そして、駆動部９及びドライバ１０は、当該パワー信号Ｓpcに基づいて順次記録パワーを増大させつつセクタ２０-1内に順次設定信号を記録していく。この処理により、セクタ２０-1内には、階段上に順次再生強度が変化してゆく設定信号が記録されることとなる。
【００４９】
次に、その階段状に記録された設定信号を、ピックアップ２を用いて再生することにより得られる検出信号Ｓrfのピークレベル及びボトムレベルをレベル検出部２４において検出する。
【００５０】
このとき、レベル検出部２４は、検出信号Ｓrfの直流成分をコンデンサ２１により除去し、その出力であるコンデンサ信号Ｓcdのピークレベル及びボトムレベルを夫々ピーク検出部２２及びボトム検出部２３により検出し、ピークレベル信号Ｓpl及びボトムレベル信号Ｓblを制御部４に出力する。
【００５１】
これにより、制御部４は、ピークレベル信号Ｓpl及びボトムレベル信号Ｓblに基づき、３Ｔから１１Ｔのパルス幅に対応する各検出信号Ｓrf毎のピークレベル及びボトムレベルが一致する設定信号を記録した際の記録パワーをその時の最適記録パワーとして図示しないメモリ内等に設定し、以後の実際の記録情報Ｓrの記録処理に用いるのである。
【００５２】
次に、主として制御部４を中心として実行される実施形態に係る規正処理について、具体的に図３乃至図５を用いて説明する。
【００５３】
なお、図３及び図４は当該規正処理を示すフローチャートであり、図５は当該規正処理に対応する各種波形図等を示す図である。
【００５４】
また、以下に説明する規正処理においては、６４個のセクタ２０を用いて一回の規正処理を実行し、更に一のセクタ２０内においては同一の記録パワーで設定信号を記録すると共に３２セクタ毎に後述する目印信号を記録するものとする。更に、図５において検出信号Ｓrfのレベルは下方向ほど高いものとする。
【００５５】
図３に示すように実施形態の規正処理（記録パワー設定処理）においては、始めに、各初期設定が実行される（ステップＳ１）。
【００５６】
ここで、ステップＳ１における初期設定処理についてより具体的には、当該初期設定処理として、後述する複数の目印信号を記録する際のその間隔を示すカウンタ値（記録パワーが一段階増大される毎に一だけインクリメントされる）であるパラメータＸを初期化（すなわち、パラメータＸ←０とする）すると共に、設定信号を記録する際の記録パワーの変更頻度を示すパラメータＹに記録パワーの変更ステップ数Ｍ（実施形態の場合はＭ＝６４）を設定し、更に、上記目印信号以外の設定信号を記録していくに当たってのその記録パワーの初期値（具体的には、ＤＶＤ−Ｒおフォーマットにより規定された最小値）を設定する。
【００５７】
初期設定が完了すると、次に、ＰＣＡ１８内において、それまでに実行された規制処理に用いられたセクタ２０の先頭のＤＶＤ−Ｒ１上の位置（すなわち、使用済みエリアの先頭位置）を検索する（ステップＳ２）。この検索処理については、後ほど図４を用いて詳述する。
【００５８】
使用済みエリアの先頭位置が検索されると、次に、その先頭位置から内周側に６４セクタ分だけ光ビームＢの照射位置を移動させ、今回の規正処理に用いるセクタ２０の先頭のＤＶＤ−Ｒ１上の位置（すなわち、未使用エリアの先頭位置）を検索する（ステップＳ３）。このステップＳ３における検索処理についてより具体的には、上記プリピットにより予め記録されている各セクタ２０の番号（アドレス情報）を手掛かりとして今回の規正処理に用いるセクタ２０の先頭位置を検索する。
【００５９】
また、当該検索に伴う光ビームＢの照射位置の移動は、制御部４の制御に基づいて図示しないトラッキングサーボ機構等が動作することにより実行される。
【００６０】
未使用エリアの先頭位置が検索されると、次に、上記パラメータＸの値が現在「０」であるか否かが確認される（ステップＳ４）。
【００６１】
そして、未使用エリアを検索した直後はパラメータＸは「０」であるので（ステップＳ４；ＹＥＳ）、次に、最後に設定信号が記録された際の記録パワーを制御部４内の図示しないメモリに格納すると共に、当該パラメータＸの値に「３２」（３２セクタ毎に目印信号を記録することを示す。）を設定し、更に、情報記録装置Ｒにおいて可能な最大の記録パワーをもって目印信号をセクタ２０内に予め設定された所定期間だけ記録する（ステップＳ５）。このステップＳ５の処理により、未使用エリアの先頭位置に最初の目印信号が記録されることとなる。
【００６２】
次に、パラメータＸ及びＹを共に一ずつデクリメントし（ステップＳ７）、更にパラメータＹが「０」となったか否か、すなわち、一回の規正処理が完了したか否かが確認される（ステップＳ８）。
【００６３】
そして、現在では未だ一回の規正処理が終了していないので（ステップＳ８；ＮＯ）、一セクタ分の記録時間の経過を待ち（ステップＳ９）再度ステップＳ４に戻る。
【００６４】
このとき、今回のステップＳ４においてはパラメータＸの値は「０」ではないので（ステップＳ４；ＮＯ）、次に、設定信号の記録パワーをステップＳ１において設定した初期値から一段階だけ増大させて設定信号を記録し（ステップＳ６）再度ステップＳ７に移行して以後各パラメータを一ずつデクリメントしつつ（ステップＳ７）上述した一連の処理を繰り返す。
【００６５】
以上説明したステップＳ１乃至Ｓ９の処理が繰り返されることにより、結果として、上記未使用エリアの先頭位置及びその先頭位置から３２セクタ離れた位置に二つの目印信号（実施形態の規正処理では６４セクタを用いて一回の規正処理が完了するので、その一回の規正処理の間に記録される目印信号は二つのみである。）が記録され、その目印信号の間及び未使用エリアの最後尾の位置までの間は、１セクタ毎にその最大値まで一段階だけ記録パワーが増大されつつ設定信号が記録されることとなる。
【００６６】
そして、６４セクタ分の設定信号の記録が完了すると（ステップＳ８；ＹＥＳ）、次に、上述したステップＳ２と同様の処理により記録済みエリア（上記ステップＳ１乃至Ｓ９の処理により目印信号及び設定信号が記録されたＰＣＡ１８内の記録済みエリア）の先頭位置を検索し（ステップＳ１０）、その先頭位置から６４セクタ分の設定信号及び目印信号を検出・再生して上記検出信号Ｓrfを生成し（ステップＳ１１）、更にそのレベルをＲＦ検出部３において取得して（ステップＳ１２）上記レベル信号Ｓpを生成して制御部４へ出力する。
【００６７】
このとき、当該検出される検出信号Ｓrfの波形としては、図５に示すように、上記ステップＳ１乃至Ｓ９の処理により形成された記録済みエリアの先頭位置及び当該先頭位置から３２セクタ分だけ外周側に離れた位置から上記目印信号に対応する最大レベルの特定検出信号ＳＰが検出され、更に、その間の領域からは、一セクタ毎に外周側に向かって四段階に増大していく各設定信号に対応する再生レベルを有する検出信号Ｓrfが検出されることとなる。そして、これら特定検出信号ＳＰ及び検出信号Ｓrfのうち、予め設定された上記最適レベル以上のレベルを有する検出信号Ｓrfが入力されているとき「ＨＩＧＨ」レベルとなる上記レベル信号Ｓp（図５最下段参照）が制御部４に出力されることとなる。
【００６８】
そして、レベル検出部２４から出力されたピークレベル信号Ｓpl及びボトムレベル信号Ｓblに基づき、３Ｔ乃至１１Ｔの各パルス幅に対応する各検出信号Ｓrf毎のピークレベル及びボトムレベルが一致する設定信号を記録した際（上記タイミングＴ参照）の記録パワーをその時の最適記録パワーとして制御部４内の図示しないメモリ内等に設定し（ステップＳ１３）、以後の実際の記録情報Ｓrの記録処理に用いるのである。
【００６９】
なお、図３に示す一連の規正処理が完了した後は、上記記録済みエリアとして使用されたセクタの番号及び当該設定された記録パワーは、ＲＭＡ１２内の対応する設定記録領域内に記録される。
【００７０】
次に、上記ステップＳ２及びＳ１０における検索処理について、図４を用いて詳説する。
【００７１】
当該検索処理においては、図４に示すように、始めに、前回の規正処理において使用（記録）済みセクタ番号及び設定記録パワーが記録されていた設定記録領域を検索して当該使用（記録）済みセクタ番号（使用済みエリアの先頭位置のアドレス）を取得し（ステップＳ２０）、次に、その先頭位置に光ビームＢの照射位置を移動させる（ステップＳ２１）。
【００７２】
そして、その先頭位置から外周側に当該照射位置を移動させつつ何らかのレベルを有する検出信号Ｓrfが検出されるか否かを確認する（ステップＳ２２）。
【００７３】
次に、最初に検出信号Ｓrfが検出された位置から上記プリピットにより記録されているアドレス情報を手掛かりとして６４セクタ分を越えるよう内周側に当該照射位置を二トラック分だけトラックジャンプさせ（ステップＳ２３）、再度そのトラックジャンプ後の位置から外周側に照射位置を移動させつつ検出信号Ｓrfが検出されるか否かを探索・確認する（ステップＳ２４）。
【００７４】
そして、何らかのレベルを有する検出信号Ｓrfが検出されたときは（ステップＳ２４；ＹＥＳ）、現在の当該照射位置は使用（記録）済みエリア内であるとして、次にその位置のアドレスを取得して（ステップＳ２５）ステップＳ２３に戻って上述したトラックジャンプ処理等を繰り返す。
【００７５】
一方、ステップＳ２４の判定において、何ら検出信号Ｓrfが検出されないときは（ステップＳ２４；ＮＯ）、次に、トラックジャンプ（ステップＳ２３）前の照射位置まで探索・確認し終わっているか否かを確認し（ステップＳ２６）、トラックジャンプ前の照射位置まで探索・確認し終わっていないときは（ステップＳ２６；ＮＯ）再度ステップＳ２４に戻って探索・確認を継続し、一方、トラックジャンプ前の照射位置まで探索・確認し終わっているときは（ステップＳ２６；ＹＥＳ）、最後に取得（ステップＳ２５）したアドレスに対応する位置を使用（記録）済みエリアの先頭位置であると認識し（ステップＳ２７）上記ステップＳ３又はＳ１１に移行する。
【００７６】
以上説明したように、上述した情報記録装置Ｒにおける規正処理によれば、特定検出信号ＳＰを手掛かりとして未使用エリアを検索して目印信号及び設定信号を記録すると共に当該記録された設定信号を用いて記録パワーの設定を行うので、正確に未使用エリアを検索しこれを用いて正確に記録パワーの設定を行うことができる。
【００７７】
従って、正確に設定された記録パラメータを用いて正確且つ確実に情報記録を行うことができる。
【００７８】
また、設定信号よりも先に検出される位置に目印信号が記録されるので、ＰＣＡ１８において最初に検出される位置を正確に検出することで未使用エリアを確実に検出することができる。
【００７９】
更に、設定信号記録中における３２セクタ毎に目印信号が記録されるので、長期間特定検出信号ＳＰが検出されないことによる未使用エリアの誤検出を防止できる。
【００８０】
更にまた、ＲＭＡ１２により示される使用（記録）済みエリアの先頭位置から検出信号Ｓrfが検出される位置までの光ビームＢの照射位置の移動と当該先頭位置の更新とを繰り返しつつ特定検出信号ＳＰに基づいて使用（記録）済みエリアを検出するので、確実に未使用エリアを検出することができる。
【００８１】
更に、設定された記録パワーを用いて情報記録を実行するので、正確に設定された記録パワーを用いて正確且つ確実に情報記録を実行することができる。
【００８２】
なお、上述した実施形態においては、６４セクタにより一回の規正処理が行われる場合について説明したが、これ以外に、一のセクタ２０のみを用いて一回の規正処理を実行する場合でも、その先頭に目印信号を記録しておけば、本願と同様の効果を得ることができる。
【００８３】
更に、上述した実施形態においては、ＤＶＤ−Ｒ１に対する記録パワーの規正処理に対して本願を適用した場合について説明したが、これ以外に、現在一般化しつつあるＣＤ−Ｒ（CD-Recordable）に対する記録パワーの規正処理に対して本願を適用することも可能である。
【００８４】
また、図３及び図４に示すフローチャートに対応するプログラムを情報記録媒体としてのフレキシブルディスク又はハードディスク等に記録しておき、一般のマイクロコンピュータ等によりこれを読み出して実行させることにより、当該マイクロコンピュータを実施形態の制御部４として活用することも可能である。
【図面の簡単な説明】
【００８５】
【図１】実施形態に係る情報記録装置の概要構成を示すブロック図である。
【図２】実施形態のＤＶＤ−Ｒの細部構造を示す模式図である。
【図３】実施形態の記録パワー設定処理を示すフローチャート（Ｉ）である。
【図４】実施形態の記録パワー設定処理を示すフローチャート（II）である。
【図５】実施形態の記録パワー設定処理に対応する各波形図等を示す図である。
【符号の説明】
【００８６】
１    ＤＶＤ−Ｒ
２    ピックアップ
３    ＲＦ検出部
４    制御部
５    タイミング生成部
６    記録パワー設定部
７    記録パターン発生部
８    記録波形生成部
９    駆動部
１０    ドライバ
１１    プリフォーマット検出部
１２    ＲＭＡ
１３    リードインエリア
１４    データエリア
１５    リードアウトエリア
１６    非記録領域
１７    終端領域
１８    ＰＣＡ
２０-1、２０-2、２０-3、２０-(n-1)、２０-n    セクタ
２１    コンデンサ
２２    ピーク検出部
２３    ボトム検出部
２４    レベル検出部
ＤＡ    情報領域
ＣＨ    センターホール
ＳＰ    特定検出信号
Ｒ    情報記録装置
Ｂ    光ビーム
Ｓpp    プッシュプル信号
Ｓsyc    同期信号
Ｓadr    アドレス情報
Ｓtm    記録クロック信号
Ｓr    記録情報
Ｓrr    記録信号
Ｓp    記録パターン信号
Ｓsr    整形パターン信号
Ｓcp、Ｓct    制御信号
Ｓpc    パワー信号
Ｓdd、Ｓd    駆動信号
Ｓcd    コンデンサ信号
Ｓpl    ピークレベル信号
Ｓbl    ボトムレベル信号
Ｓrf    検出信号
Ｓp    レベル信号
【図１】
2007305303.tif 000003
【図２】
2007305303.tif 000004
【図３】
2007305303.tif 000005
【図４】
2007305303.tif 000006
【図５】
2007305303.tif 000007